(57)【特許請求の範囲】
【請求項１】
前面が開口するように形成された本体と、前記本体の前面に開閉自在に設けられる前扉とを備える遊技機であって、
前記前扉には、遊技の状況に応じて点灯又は点滅する照明部が側縁部に設けられており、
前記照明部は、
光源と、
前記光源の前側に設けられ、前記光源から照射された光を拡散するためのレンズ部材と、
前記光源及び前記レンズ部材の間に前記光源をカバーするために設けられ、板状に形成されたカバーベース部と、前記カバーベース部の一方の面から突出形成された突出部とを有するカバー部材と、
前記カバー部材を後面側に取付固定するよう前記前扉に構成されており、ベース部と、前記ベース部の厚さ方向に貫通形成された突出受部とを有する取付部とを備え、
前記レンズ部材は第１レンズ部材と第２レンズ部材とから構成されており、前記第２レンズ部材が前記第１レンズ部材の前側に位置するように取付固定されており、
前記取付部と前記カバー部材とは、前記突出部が前記突出受部に嵌合した時に、これら前記突出部及び前記突出受部との間に隙間が生じないように取付固定されていることを特徴とする遊技機。
【請求項２】
前記第１レンズ部材の前端面及び後端面の形状、並びに前記第２レンズ部材の前端面及び後端面の形状が異なるように形成されている請求項１記載の遊技機。
【請求項３】
前記前扉は、上部ユニット及び下部ユニットを備えており、前記照明部は前記下部ユニットの側縁部に設けられている請求項１又は２記載の遊技機。
【発明の詳細な説明】
【技術分野】
【０００１】
本発明は、メダルや遊技球を遊技媒体として遊技を行う遊技機に関する。
【背景技術】
【０００２】
パチンコ店において遊技者の遊技に供される遊技機が従来から知られている。遊技機としては、遊技球を遊技媒体として用いるパチンコ機や、メダルを遊技媒体として用いるスロットマシン等がある。スロットマシンは、一般的には、複数の回転リール等からなる遊技機器を収容可能に形成される筐体と、この筐体の前面に開閉自在に設けられる前扉とを備えている。そして、前扉には、筐体の内部に収容された回転リールの図柄を視認可能にするための視認窓や、遊技の進行に応じて種々の態様で発光したり、点滅する照明ユニットが設けられている。近年は、スロットマシンにおいて光を用いた演出効果をより向上させる趣旨で、スロットマシンの複数個所に複数の照明ユニットを設けることが多くなっている。例えば特許文献１に記載されているスロットマシンでは、サイドレンズユニットや上部レンズユニットを配置して、スロットマシンの前面における電飾による演出を行うように構成されている。
【先行技術文献】
【特許文献】
【０００３】
【特許文献１】特開２０１３−０９４５５６号公報
【発明の概要】
【発明が解決しようとする課題】
【０００４】
一般的に、スロットマシンでは、該スロットマシンを正面から見た場合の左右いずれかの下側に電源ユニットを設けることが多い。そのため、特許文献１に記載された遊技機の場合には、前扉を閉じた時に一方のサイドレンズユニットが電源ユニットの前側に位置するように構成されていた。しかし、このようにサイドレンズユニットを電源ユニットの前側に配置すると、サイドレンズユニットに対して力を加えて強引に隙間を作り、その隙間から針金等の異物を侵入させて、電源ユニットをショートさせると言った不正行為が行われるおそれがあった。
【０００５】
本発明は、このような問題点に鑑みてなされたものであり、電源ユニットの前側に照明部を配置させた構成であっても不正行為が行われるのを防止することができる遊技機を提供することを目的とする。
【課題を解決するための手段】
【０００６】
本発明は、
（１）前面が開口するように形成された本体と、前記本体の前面に開閉自在に設けられる前扉とを備える遊技機であって、前記前扉には、遊技の状況に応じて点灯又は点滅する照明部が側縁部に設けられており、前記照明部は、光源と、前記光源の前側に設けられ、前記光源から照射された光を拡散するためのレンズ部材と、前記光源及び前記レンズ部材の間に前記光源をカバーするために設けられ、板状に形成されたカバーベース部と、前記カバーベース部の一方の面から突出形成された突出部とを有するカバー部材と、前記カバー部材を後面側に取付固定するよう前記前扉に構成されており、ベース部と、前記ベース部の厚さ方向に貫通形成された突出受部とを有する取付部とを備え、前記レンズ部材は第１レンズ部材と第２レンズ部材とから構成されており、前記第２レンズ部材が前記第１レンズ部材の前側に位置するように取付固定されており、前記取付部と前記カバー部材とは、前記突出部が前記突出受部に嵌合した時に、これら前記突出部及び前記突出受部との間に隙間が生じないように取付固定されていることを特徴とする遊技機、
（２）前記第１レンズ部材の前端面及び後端面の形状、並びに前記第２レンズ部材の前端面及び後端面の形状が異なるように形成されている上記（１）記載の遊技機、
（３）前記前扉は、上部ユニット及び下部ユニットを備えており、前記照明部は前記下部ユニットの側縁部に設けられている上記（１）又は（２）記載の遊技機を要旨とする。
【発明の効果】
【０００７】
本発明によれば、光源をカバーするカバー部材を光源とレンズ部材との間に設けるので、照明部に力を加えても強引に隙間が形成されるのを防止することができる。したがって、照明部から不正に異物を侵入させて電源ユニットをショートさせるといった不正行為を確実に防止することが可能になる。
【図面の簡単な説明】
【０００８】
【図１】本発明の一実施形態に係る遊技機の外観を表す正面図である。
【図２】前側から見た照明部の分解斜視図である。
【図３】後側から見た照明部の分解斜視図である。
【図４】図１のＡ−Ａ線断面図である。
【発明を実施するための形態】
【０００９】
本発明に係る遊技機の実施の形態について、図面を用いて説明する。本実施の形態では、本発明に係る遊技機の一例として、スロットマシンに適用した例について説明する。なお、本明細書において、遊技機（スロットマシン）に関して「前側」、「後側」は、遊技機を正面から見た場合（図１参照）のそれぞれ正面側（前面側）、裏面側（後面側）を示す。また、遊技機に関して、「上下左右」とは、遊技機を正面から見た場合における上側、下側、左側及び右側を示すものとする。また、本明細書においては、「後側」のことを「裏側」、「背面側」と言うことがあり、前後方向のことを「奥行方向」と言うことがある。
【００１０】
図１に示すように、スロットマシン１は、図示しないリールユニットやホッパー装置等のような各種遊技機器を収容することが可能な大きさに形成され、前面が開口するように形成された筐体２と、この筐体２の前面に開閉自在に設けられ、閉じている時には筐体２の開口を塞ぐように位置する前扉３とを備えている。
【００１１】
前扉３は、枠体（図示せず）、上部ユニット５及び下部ユニット６を備えている。枠体は、前扉３のベースとなる部材であり、例えばアルミニウム又は鉄鋼等の金属材料からなる断面略コ字形又は断面略Ｌ字形の枠材を組み立てる等して形成されている。この枠体は、前扉３の後側に位置し、筐体２に対して前扉３を閉じた時に、後端面が筐体２と対向する位置に配置されている。なお、この枠体を構成する材質及び形状は上記したものに限定されるものではない。
【００１２】
上部ユニット５は、枠体の前側上部に取り付けられるように構成されている。この上部ユニット５は、各種装飾部材７ａ〜７ｄが周囲を囲むように取り付けられており、この各種装飾部材７ａ〜７ｄに囲まれている中央部に、第１〜第３リールに設けられた各種図柄（図示せず）を遊技者が視認可能にするための第１表示窓部８や、液晶表示装置（図示せず）において表示される各種アニメーション等のような絵柄を遊技者が視認可能にするための第２表示窓部９が形成されている。
【００１３】
下部ユニット６は、枠体の前側下部に取り付けられるように構成されている。この下部ユニット６は、枠体に取り付けられた時に、上部ユニット５の下方に位置するように配置される。図１に示すように、下部ユニット６には、メダルの貯留又は遊技開始時にメダルを投入する投入口１１、貯留されているメダルを１枚掛けることができる１ベットボタン１２、貯留されているメダルを３枚掛けることができるＭＡＸベットボタン１３、遊技開始時に操作し、リールユニットに組み込まれている図示しない第１〜第３回転リールを回転駆動させて遊技を開始するスタートレバー１４、回転駆動している第１〜第３回転リールを停止する際に操作する第１〜第３ストップボタン１５ａ〜１５ｃ、払い出されたメダルを受けるための受け皿１６及びスロットマシン１の機種名等を装飾した装飾パネルを取り付けるパネル取付部１７が設けられている。
【００１４】
また、下部ユニット６には、側縁部１８としての右側縁部１９と左側縁部２０とが形成されており、右側縁部１９には照明部２１としての第１照明部２２が設けられ、左側縁部２０には照明部２１としての第２照明部２３が設けられている。これら第１照明部２２及び第２照明部２３は、スロットマシン１における遊技の状況に応じて点灯又は点滅するように構成されている。本実施の形態では、照明部２１は、下部ユニット６の左右両側の側縁部１８に対して第１照明部２２及び第２照明部２３を設けて構成しているが、左右いずれか一方の側縁部１８にのみ設けてもよいし、これ以外の場所に配置してもよい。
【００１５】
次に、照明部２１の構成について説明する。なお、上記した通り、照明部２１は第１照明部２２及び第２照明部２３から構成されているが、これら第１照明部２２及び第２照明部２３の構成は、左右対称となっていることを除けば同じであるから、ここでは第１照明部２２の構成についてのみ説明する。
【００１６】
図２及び図３に示すように、照明部２１は、取付部３０、光源３１、カバー部材３２及びレンズ部材３３を備えており、取付部３０に対して該取付部３０の後側からレンズ部材３３及び光源３１が取付固定され、取付部３０の前側からカバー部材３２が取付固定されている。
【００１７】
取付部３０は、照明部２１のベースとなる部分である。この取付部３０は、下部ユニット６の右側縁部１９に形成されている。下部ユニット６の右側縁部１９では、枠体に取り付けられる後端側にベース部３４が形成されており、このベース部３４に対してカバー部材３２の後述する突出部４４が嵌合可能な大きさに形成された突出受部３５が形成されている。突出受部３５は、ベース部３４の厚さ方向に貫通する貫通孔として形成されており、突出部４４と同じ数だけ設けられている。なお、本実施の形態では、この突出受部３５は、突出部４４の数に対応させて３個設けられているが、この数は３個に限定されるものではない。また、本実施の形態では、突出受部３５の形状は、突出部４４の形状に対応させて縦長方形状に形成されているが、嵌合された突出部４４との間に隙間が生じなければよく、この形状も限定されるものではない。また、取付部３０には、レンズ部材３３を取付固定する固定孔が形成されている。
【００１８】
光源３１は、発光部４１及び基板部４２を備えており、基板部４２の上に任意の方法で配置されつつ取付固定されている発光部４１が基板部４２の前側に位置する向きでカバー部材３２の後側に取付固定されるように構成されている。発光部４１は、例えばＬＥＤ（Ｌｉｇｈｔ  Ｅｍｉｔｔｉｎｇ  Ｄｉｏｄｅ)等のような発光素子から構成されており、遊技の進行に応じて任意に点灯又は点滅をすることができるように構成されている。本実施の形態では、発光部４１は、基板部４２に対して縦方向に並んで６個のＬＥＤが配置されることで構成されている。なお、本実施の形態では、発光部４１としてＬＥＤを用いた例を用いて説明したが、ＬＥＤには限定されない。また、ＬＥＤを配置する方向や数も上記したものには限定されない。
【００１９】
基板部４２は、光源３１のベースとなる部材であり、この基板部４２の上に発光部４１が配置され、取付固定されるように形成されている。また、基板部４２は、取付部３０の後面側に、カバー部材３２を介して取付固定されるように構成されている。即ち、基板部４２は、カバー部材３２の後側に形成されている後述する取付孔４５にネジ止め等の従来から公知の方法で取り付けられ、カバー部材３２が取付部３０に取付固定されることで、基板部４２も取付部３０に取付固定されるようになっている。
【００２０】
カバー部材３２は、光源３１とレンズ部材３３の間に設けられ、この光源３１をカバーするための部材である。図３及び図４に示すように、このカバー部材３２は、取付部３０の後側にネジ止め等によって取付固定されるように形成されている。また、カバー部材３２は、後側に光源３１を取付固定することができるようにも構成されている。
【００２１】
図３に示すように、カバー部材３２は、カバーベース部４３及び突出部４４を有している。カバーベース部４３は、カバー部材３２のベースとなるものであり、板状に形成されている。またカバーベース部４３は、光源３１を後側に取付固定するための取付孔４５が貫通形成されている。突出部４４は、カバーベース部４３の一方の面（本実施の形態では、カバーベース部４３の前面）から突出形成されている。この突出部４４は、光源３１の発光部４１が設けられている箇所と対応する箇所に設けられている。本実施の形態では、光源３１の発光部４１は、縦方向に並んで配置された６個のＬＥＤと対応する位置、即ち、２個のＬＥＤに対して一つ形成するように構成されている。したがって、本実施の形態では、カバーベース部４３の上には、３個の突出部４４が形成されている。
【００２２】
この突出部４４は、取付部３０における突出受部３５に嵌合することができるように形成されている。即ち、突出部４４は、突出受部３５が形成された大きさと略同じか、又は突出受部３５が形成された大きさよりも若干小さい大きさに形成されている。なお、この突出部４４は、突出受部３５に嵌合した時に、これら突出部４４と突出受部３５との間に隙間が生じないように形成することが好ましい。このように形成することで、この隙間から針金等の不正具を挿入するといった不正行為を確実に防止することが可能になる。
【００２３】
また、図４に示すように、突出部４４は、カバー部材３２を取付部３０に取付固定して突出受部３５に嵌合した状態で取付部３０の後面側に取付固定すると、該突出部４４の前面が取付部３０の前面と略面一となるように形成されている。
【００２４】
レンズ部材３３は、光源３１の前側に設けられており、この光源３１から照射された光を拡散するためのものである。図２〜図４に示すように、このレンズ部材３３は、第１レンズ部材５１及び第２レンズ部材５２から構成されている。なお、レンズ部材３３の構成として、第１レンズ部材５１及び第２レンズ部材５２の２個から構成されるものには限定されない。
【００２５】
図４に示すように、第１レンズ部材５１は、照明部２１において取付部３０の前側に位置するように取付固定される部材であり、第２レンズ部材５２は、照明部２１において取付部３０の前側であって、かつ第１レンズ部材５１の前側にも位置するように取付固定される部材である。これら第１レンズ部材５１及び第２レンズ部材５２は、透光性を有する部材で形成されている。透光性を有する部材としては、例えば透明のプラスチック材料等が挙げられるが、これに限定されるものではない。また、図４に示すように、第１レンズ部材５１及び第２レンズ部材５２は、これら第１レンズ部材５１の前端面及び後端面の形状、第２レンズ部材５２の前端面及び後端面の形状が異なるように形成されている。これにより、第１レンズ部材５１及び第２レンズ部材５２の後方に配置されている発光部４１から第１レンズ部材５１及び第２レンズ部材５２に光が照射された場合に、光を様々な方向へ拡散させることができ、第１照明部２２における光を用いた演出効果をより向上させることができる。
【００２６】
次に、本実施の形態に係るスロットマシン１の作用効果について説明する。まず、図２及び図３に示すように構成された照射部の組立について説明する。なお、第１照明部２２及び第２照明部２３の組立はどちらも同じであるから、ここでも第１照明部２２の組立についてのみ説明する。
【００２７】
第１照明部２２を組み立てる際には、下部ユニット６の取付部３０に形成されているベース部３４に対してカバー部材３２をネジ止め等によって取付固定する。この場合、カバー部材３２に対して、該カバー部材３２の後面側に光源３１をネジ止め等によって予め取付固定しておいてもよいし、カバー部材３２をベース部３４に対して取付固定した後に取付固定してもよい。このようにしてカバー部材３２をベース部３４に取付固定すると、カバー部材３２の突出部４４がベース部３４の突出受部３５に嵌合する。また、このように突出部４４が突出受部３５に嵌合してカバー部材３２がベース部３４に取付固定されると、突出部４４の前端面と、ベース部３４の前端面の位置が略面一になる。また、このような場合、突出受部３５の内側面と突出部４４の側面との間には隙間が形成されないように取付固定される。このようにして突出部４４とベース部３４とが取付固定されると、これら突出部４４とベース部３４との間から異物を侵入させて不正を行う不正行為を確実に防止することができる。特に、本実施の形態に係るスロットマシンでは、第２照明部の奥に電源ユニット（図示せず）が配置されることがあり、第２照明部における突出部４４とベース部３４との間に形成された隙間から針金等を侵入させて、電源ユニットをショートさせることで行う不正行為を防止することが可能になる。
【００２８】
上記したように、ベース部４４の後面側にカバー部材３２及び光源３１を取付固定した後に、第１レンズ部材５１を取付固定し、次に第２レンズ部材５２を取付固定する。このように第１レンズ部材５１及び第２レンズ部材を順次取付固定すると、図４に示すように、取付部に近い側に第１レンズ部材５１が配置され、この第１レンズ部材５１の前側に、該第１レンズ部材５１を覆うように第２レンズ部材５２が配置される。このように、複数のレンズ部材を配置させ、それぞれのレンズ部材の後面側の形状及び前面側の形状を異なるように形成することで、光源３１の発光部４１から照射される光が第１レンズ部材５１及び第２レンズ部材５２において拡散される。したがって、発光部４１から照射される光を用いた演出をより効果的に行うことが可能になる。
【００２９】
以上、本発明に係るスロットマシンとしての遊技機について詳細に説明したが、これは本発明に係る遊技機の一つの例を用いて説明したものであり、これに限定されるものではなく、本発明の趣旨を逸脱しない範囲において、適宜変更等をしてもよい。
【符号の説明】
【００３０】
１  スロットマシン
２  筐体
３  前扉
１８  側縁部
１９  右側縁部
２０  左側縁部
２１  照明部
２２  第１照明部
２３  第２照明部
３０  取付部
３１  光源
３２  カバー部材
３３  レンズ部材
３４  ベース部材
３５  突出受部
４１  発光部
４２  基板部
４４  突出部
４５  取付孔
５１  第１レンズ部材
５２  第２レンズ部材
【図１】
0006511243.tif 000002
【図２】
0006511243.tif 000003
【図３】
0006511243.tif 000004
【図４】
0006511243.tif 000005